(57)【要約】【課題】泡の炸裂により発生する水流(バブリング効果水流)を得うること。活性化水流により節水効果を得ること。【解決手段】それぞれ直径を異にする複数個の環状散水体１１を同心円状に配置してなり、各環状散水体１１にはその上端を散水吐出口とする散水孔１７を貫通しており、該散水孔１７は、散水吐出口１２側の大径部１７Ｌと給水側の小径部１７Ｓとよりなる二段構造であり、上記散水孔１７における大径部１７Ｌの小径部１７Ｓ寄りの位置に側面より外気を流入することを特徴とする。散水装置の内室を環状室３Ａと中心室３Ｂとに区画し、中心室３Ｂに通じる第１吐出口２５と、環状室３Ａに通じる第２吐出口２６とを形成した切替吐水板21を設ける。【選択図】図１２
2006346513.tif 000002
【特許請求の範囲】
【請求項１】
それぞれ直径を異にする複数個の環状散水体１１を同心円状に配置してなり、
各環状散水体１１にはその上端を散水吐出口とする散水孔１７を貫通しており、該散水孔１７は、散水吐出口１２側の大径部１７Ｌと給水側の小径部１７Ｓとよりなる二段構造であり、
上記散水孔１７における大径部１７Ｌの小径部１７Ｓ寄りの位置に側面より外気を流入することを特徴とする、超音波水を発生する散水装置。
【請求項２】
それぞれ直径を異にする複数個の環状散水体１１を同心円状に配置してなり、
各環状散水体１１にはその上端を散水吐出口とする散水孔１７を貫通しており、該散水孔１７は、散水吐出口１２側の大径部１７Ｌと給水側の小径部１７Ｓとよりなる二段構造であり、
上記散水孔１７における大径部１７Ｌの小径部１７Ｓ寄りの位置に側面より外気を流入し、
複数個の環状散水体１１の内部に内室を環状室３Ａと中心室３Ｂとに区画し、中心室３Ｂに通じる第１吐出口２５と、環状室３Ａに通じる第２吐出口２６とを形成した切替吐水板21を設け、
切替弁機構の操作により、前記切替吐水板21の第１吐出口２５と環状室３Ａに通じる第２吐出口２６とを選択的に開閉自在としたことを特徴とする、超音波水を発生する散水装置。
【発明の詳細な説明】
【技術分野】
【０００１】
本願発明は、浴室用のシャワー、洗面化粧台・厨房等の水栓、散水装置のシャワーヘッドに関するものである。より詳しくは、バブリングによる活性化効果を高めた節水型散水装置に関するものである。
【背景技術】
【０００２】
シャワーヘッドの散水部において、空気を混入させることで、節水効果や水勢向上効果に優れた散水装置に関して、特開平２０００−３２５２５１号「シャワーヘッド」(特許文献１)が公知である。
【特許文献１】特開平２０００−３２５２５１号
【発明の開示】
【発明が解決しようとする課題】
【０００３】
前記の公知技術においては、ヘッド周辺部の水勢が強くなり不均一な水勢分布となる問題点がある。
本発明は、ヘッド頭部の全面に均一な水勢を得ることを課題とする。更に、泡を含む水流とすることて活性化水流として節水効果を得ること、をおよび泡の炸裂により発生する水流(バブリング効果水流)を得ることを課題とする。
また、所望により一部エリアを強くした水勢を選択的に得ることを課題とする。
【課題を解決するための手段】
【０００４】
本願第１発明は、それぞれ直径を異にする複数個の環状散水体１１を同心円状に配置してなり、各環状散水体１１にはその上端を散水吐出口とする散水孔１７を貫通しており、該散水孔１７は、散水吐出口１２側の大径部１７Ｌと給水側の小径部１７Ｓとよりなる二段構造であり、上記散水孔１７における大径部１７Ｌの小径部１７Ｓ寄りの位置に側面より外気を流入することを特徴とする、超音波水を発生する散水装置を提供する。
本願第２発明は、第１発明に加えて、複数個の環状散水体１１の内部に内室を環状室３Ａと中心室３Ｂとに区画し、中心室３Ｂに通じる第１吐出口２５と、環状室３Ａに通じる第２吐出口２６とを形成した切替吐水板21を設け、切替弁機構の操作により、前記切替吐水板21の第１吐出口２５と環状室３Ａに通じる第２吐出口２６とを選択的に開閉自在としたことを特徴とする、超音波水を発生する散水装置を提供する。
【発明の効果】
【０００５】
本発明は、ヘッド頭部の全面に均一な水勢を得ることができるとともに、泡を内蔵する強い活性化水流を放出させることで、節水効果を生じるとともに泡の炸裂により発生する水流(バブリング効果水流)を得ることができる。
また、所望により一部エリアを強くした水勢を選択的に得るができる。
【発明を実施するための最良の形態】
【０００６】
本願発明の散水装置１は、それぞれ散水項１７をリング状に配置した第１段環状散水体１１Ａ、第２段環状散水体１１Ｂ、第３段環状散水体１１Ｃを同芯状配置し、各環状散水体１１Ａ、１１Ｂ、１１Ｃは、中心寄りの第１各環状散水体１１Ａを最上段に位置させて階段状に、一部を下段に内層した状態で上部を突出させて、中心部を貫通するビス１３によってベース１０に固定されて一体化して構成している。
前記散水孔１７は、給水一次側よりも二次側を大径とする二段貫通孔に形成されて、散水吐出口１２側の大径部１７Ｌと給水側の小径部１７Ｓとに分離され、大径部１７Ｌにおける小径部１７Ｓ寄りの位置で開口する横リング溝１９に連通して、各環状散水体１１の側面の開口ｐで外気に通じている。
【実施例】
【０００７】
図１ないし図９を参照して、本願第１発明の実施例を説明する。
図１は本願発明の散水装置１Ａを装備した浴室用シャワーヘッドＡの側面を示し、図２は縦断面図である。
【０００８】
図３および図４は、散水装置１Ａを示し、第１段環状散水体１１Ａ、第２段環状散水体１１Ｂ、第３段環状散水体１１Ｃを同芯状配置して構成し、各環状散水体１１Ａ、１１Ｂ、１１Ｃの表面にリング状に配置されている散水吐出口１２Ａ、１２Ｂ、  １２Ｃは図４に示すごとく、同心状配置である。
【０００９】
各環状散水体１１Ａ、１１Ｂ、１１Ｃは、中心寄りの第１各環状散水体１１Ａを最上段に位置させて階段状に、一部を下段に内層した状態で上部を突出させて、中心部を貫通するビス１３によってベース１０に固定されて一体化し、散水装置1を構成している。
【００１０】
図５は、第１段環状散水体１１Ａを示し、図６は、第２段環状散水体１１Ｂを示し、図７は第３段環状散水体１１Ｃを示す。
各環状散水体１１について、
第１段環状散水体１１Ａには中心部にビス１３を貫通するための中心孔１６  Ａが形成され、上半部１４は、下半部１５に対して側方へ突出してつば状となっている。
第２段環状散水体１１Ｂには、第１段環状散水体１１Ａの下半部１５を受入れる中心開口１６Ｂが形成されている。
第３段環状散水体１１Ｃには、第２段環状散水体１１Ｂの下半部を受入れる中心開口１６Ｃおよび段部１６Ｅが形成されている。中心開口１６Ｃには中心開口１６Ｄが連続している。
【００１１】
第１段環状散水体１１Ａ、第２段環状散水体１１Ｂ、第３段環状散水体１１Ｃを同芯状配置して構成し、各環状散水体１１Ａ、１１Ｂ、１１Ｃの表面にリング状に配置されている散水吐出口１２Ａ、１２Ｂ、  １２Ｃに通じる散水孔１７が形成されるが、該散水孔１７は、給水一次側よりも二次側を大径とする二段貫通孔に形成されて、散水吐出口１２側の大径部１７Ｌと給水側の小径部１７Ｓとに分離されている。
【００１２】
前記散水孔１７には、大径部１７Ｌにおける小径部１７Ｓ寄りの位置に開口する横小孔１８と横リング溝１９とにより構成される通気孔  を介して、各環状散水体１１の側面の開口ｐで外気に通じている。
【００１３】
図1および図２を参照して、上記の横リング溝１９は、各環状散水体１１Ａ、１１Ｂ、１１Ｃの側面(即ち、散水装置１の側面に)に露出している。
図３を参照して、散水装置１Ｃの内部には、パッキン9を介装して、中心開口１６Ｂ、中心開  口１６Ｃ、中心開口１６Ｄにより形成される内室３を拡大して、散水孔１７の下端(流入口)をの下方空間を拡大して、散水孔１７への給水を確実にするとともに、漏水を防止している。
【００１４】
図９に示す、中心開口２１ａおよび段部２１ｂを有する外リング受台２１を、第２段環状散水体１１Ｂと第３段環状散水体１１Ｃとの間に介装することにより、図１０に示すごとく、内室３の容積を拡大できる。
【００１５】
内室３は、ベース１０の給水口４を介して、シャワーヘッドないの給水路５に連通している。  
【００１６】
散水孔１７は、上記の実施例では、各環状散水体１１について、それぞれ多数個をリング状配置したが、図１９に示す節水装置１Ｃごとく、各１個としていもよいものである。
【００１７】
散水孔１７は、図２１に示す如く外周方向(ｂ図)、中心方向(ｃ図)に傾斜させてもよいものである。
また、図２０のｂ図、ｃ図においては、大径部17Ｌおよび小径部１７Ｓの両方を傾斜させたが、ｄ図、ｅ図においては、大径部１７Ｌを垂直方向、小径部１７Ｓを傾斜方向としている。
【００１８】
図１1ないし図１８を参照して、本願第２発明の実施例を説明する。
図1１は本願第２発明の散水装置１Ｂを装備した浴室用シャワーヘッドＢの側面を示し、前述の本願第1発明の浴室用シャワーヘッドＡに切替操作ボタン６を装備している。
【００１９】
図1２および図３を参照して、散水装置１Ｂは、本願第1発明の散水装置１Ａの第１段環状散水体１１Ａ、第２段環状散水体１１Ｂ、第３段環状散水体１１Ｃを装備し、ベース１０に替えて、切替吐水板２０を装備する。
【００２０】
切替吐水板２０には、図１４および図１５を参照して、上面に筒状隔壁２３が形成されて内室を環状室３Ａと中心室３Ｂとに区画している(図１３参照)。中心部にビス固定用のねじ孔２４設けるとともに、および、中心室３Ｂに通じる第１吐出口２５と、環状室３Ａに通じる第２吐出口２６とを形成している。なお、切替弁の作用しないところの常時吐出用の第３吐出口２７を追加してもよい。
【００２１】
図1３を参照して、上記の第１吐出口２５と第２吐出口２６とを選択的に開閉するための切替弁機構２７を設ける。
切替弁機構２７は、切替操作ボタン6により移動操作される駆動片２７の先端の弁体(球)２８ａを案内溝付のパッキン２９に誘導させ、弁体(球)２８ａおよび案内溝付のパッキン２９を介して、第１吐出口２５と第２吐出口２６とを選択的に開閉する。
【００２２】
図２３および図２４は、第１吐出口２５を「開」・第２吐出口２６を「閉」とする弁作用状態を示す。
【００２３】
図２５および図２６は、第１吐出口２５を「閉」・第２吐出口２６を「開」とする弁作用状態を示す。
【００２４】
各部品の材質は、ステンレス、真鍮、砲金等の金属製品、樹脂製品等が適当であるが、他の材質としてもよいものである。
【００２５】
実施例においては、一般浴室用として散水装置の外形を約４０ｍｍとしたが、浴室シャワー以外の各種用途にはその目的に対応して大型とすることができるものであり、各部品寸法は適宜の数値を選択できるものである。
【図面の簡単な説明】
【００２６】
【図１】本願第１発明の実施例を示す浴室用シャワーヘッドの側面図である。
【図２】同じく縦断面図である。
【図３】同じく散水装置の縦断面図である。
【図４】同じく正面図である。
【図５】第１段環状散水体を示し、ａ図は縦断面図、ｂ図は平面図である。
【図６】第２段環状散水体を示し、ａ図は縦断面図、ｂ図は平面図で
【図７】第３段環状散水体を示し、ａ図は縦断面図、ｂ図は平面図で
【図８】ベースを示し、ａ図は縦断面図、ｂ図は平面図である。
【図９】リング受台を示し、ａ図は縦断面図、ｂ図は平面図で
【図１０】散水装置の要部の縦断面図である。
【図１１】本願第２発明の実施例を示す浴室用シャワーヘッドの側面図である。
【図１２】同じく要部の縦断面図である。
【図１３】切替吐水板の縦断面図である。
【図１４】同じく平面図である。
【図１５】本願第２発明の散水装置の底面図で、環状室への第１吐出口を開とする弁作用状態で示す。
【図１６】同じくの縦断面図である。
【図１７】本願第２発明の散水装置の底面図で、中心室への第２吐出口を開とする弁作用状態で示す。
【図１８】同じくの縦断面図である。リング受台を示し、ａ図は縦断面図、ｂ図は平面図で
【図１９】さらに他の実施例を示す散水装置の平面図である。
【図２０】散水孔の種々の実施例を示す縦断面図である。
【図２１】散水孔の吐出方向の変化を示し、ａ図は直進方向、ｂ図は拡散方向、ｃ図は中央集中方向を示す。
【符号の説明】
【００２７】
１    散水装置  
３    内室
３Ａ    環状室
３Ｂ    中心室
６    切替操作ボタン
１１    環状散水体
１２    散水吐出口
１７    散水孔
１７Ｌ  大径部
１７Ｓ  小径部
１９    横リング溝１９
２０    切替吐水板
２３    筒状隔壁
２５    第１吐出口
２６    第２吐出口
２７    切替弁機構
ｐ      開口
【図１】
2006346513.tif 000003
【図２】
2006346513.tif 000004
【図３】
2006346513.tif 000005
【図４】
2006346513.tif 000006
【図５】
2006346513.tif 000007
【図６】
2006346513.tif 000008
【図７】
2006346513.tif 000009
【図８】
2006346513.tif 000010
【図９】
2006346513.tif 000011
【図１０】
2006346513.tif 000012
【図１１】
2006346513.tif 000013
【図１２】
2006346513.tif 000014
【図１３】
2006346513.tif 000015
【図１４】
2006346513.tif 000016
【図１５】
2006346513.tif 000017
【図１６】
2006346513.tif 000018
【図１７】
2006346513.tif 000019
【図１８】
2006346513.tif 000020
【図１９】
2006346513.tif 000021
【図２０】
2006346513.tif 000022
【図２１】
2006346513.tif 000023